(57)【特許請求の範囲】
【請求項１】
多数の根太と、これらの根太の上下位置を調節自在に固定・支持可能な多数の根太支持手段とからなり、上記各根太は少なくともその下方に断面三角形状の角部を有しており、その上方には床下地材を支持する水平面部を有しており、上記各根太支持手段はそれぞれ間隔をおいて直列する２個及びこれらと対向する１個の駒を有しており、これら対向するそれぞれの駒はその対向する面が互いに傾斜しており、これらの対向する傾斜面のなす角度と上記根太の下方における角部の角度とが同一であるとともに、上記直列する２個及びこれらと対向する１個の駒の間隔が調節自在にコンクリートスラブ上に固定可能であることを特徴とする床支持装置。
【請求項２】
上記根太の横断面形状は三角形であることを特徴とする請求項１記載の床支持装置。
【請求項３】
上記根太の横断面形状は五角形であることを特徴とする請求項１記載の床支持装置。
【請求項４】
上記駒のうちの間隔をおいて直列する駒同士は、その駒と同一の構成部材により一体に連結されていることを特徴とする請求項１に記載の床支持装置。
【発明の詳細な説明】
【技術分野】
【０００１】
この発明は、コンクリートスラブ上に空間を介して床を支持する方法及びそのための装置に係り、特に、床材を支持する根太と、これをコンクリートスラブ上で高さ調節を容易に支持固定することのできる根太支持手段とを用いた、床支持方法及びそのための装置に関するものである。
【背景技術】
【０００２】
従来より、コンクリートスラブ上に高さ調節可能な支持手段を用いて床下地材を支持する形式の床支持方法は、種々知られている。
このような従来公知の一例を図１１に基づいて説明すると次のようである。
【０００３】
図１１において、符号１は床の一部を含む部屋の断面を示しており、壁２の側面及びコンクリートスラブ３の上面に、支柱４と防振際根太５及び支持部材６によって、床下地パネル７が高さ調節可能に支持されている。そして、該床下地パネル７の上面には適宜の床材である図示しないフローリング等が施される。
【０００４】
また、コンクリートスラブ３と床下地パネル７との高さを調節自在に支持する支持部材６は、台座６ａ、ロット６ｂ、受け部６ｃから構成されており、ロット６ｂを回転させることにより台座６ａと受け部６ｃとの間隔を調整して、床下地パネルの高さを調節するものである。
【０００５】
このような形式の支持部材を用いた床支持方法は、図示しないけれども、例えば特許第３８２１４８６号にも開示されている。
この発明にあっては、コンクリートスラブと上部床の下層パネルであるパーティクルボードとの間に支持脚を介装し、上記図示の例と同様に当該支持脚の軸を回動することによって床の支持高さを調節するものである。
【特許文献１】特開２０００−７３５２６号公報
【特許文献２】特許第３８２１４８６号公報
【特許文献３】特開２００３−９７０２６号公報
【発明の開示】
【発明が解決しようとする課題】
【０００６】
上述の通り、従来公知の床支持装置はいずれも、コンクリートスラブと床の下地材との間に多数の支持部材を設けるものであるけれども、これらの支持部材は通常の「ジャッキ」型のものであり、その構造が可成り複雑で高価なものとなっている。
【０００７】
また、このような支持部材を用いて直接床下地材であるパーティクルボード等を支持するために、その支持固定操作が煩雑となり、高さ調節する操作自体が困難な場合も生じている。
この発明は上記のごとき欠点を解消し、極めて簡単な構造の根太支持手段を用い、この支持手段によって根太の高さを調節支持させるようにする形式の床支持方法及びそのための装置を提供するものである。
【課題を解決するための手段】
【０００８】
この発明は、多数の根太と、これらの根太の上下位置を調節自在に固定・支持可能な多数の根太支持手段とからなり、上記各根太は少なくともその下方に断面三角形状の角部を有しており、その上方には床下地材を支持する水平面部を有しており、上記各根太支持手段はそれぞれ間隔をおいて直列する２個及びこれらと対向する１個の駒を有しており、これら対向するそれぞれの駒はその対向する面が互いに傾斜しており、これらの対向する傾斜面のなす角度と上記根太の下方における角部の角度とが同一であるとともに、上記直列する２個及びこれらと対向する１個の駒の間隔が調節自在にコンクリートスラブ上に固定可能であることを特徴とする。
【発明の効果】
【００１０】
この発明によれば、極めて簡単な構造の根太支持手段と、これに対応する根太を用いて床の高さを調節自在に支持固定できるので、床の敷設操作が極めて簡単であると同時に、その支持装置も安価にできる。
また、根太支持手段のコンクリートスラブへの固定も簡単にできる。
【発明を実施するための最良の形態】
【００１１】
この発明の第一の実施例を図１〜図６により説明する。
図１は、この発明の床支持装置を用いて施工された床１０の一部平面を示している。壁１１，１１により囲まれた床は多数の床下地材１３〜１３が根太３０〜３０上に敷設されており、これらの根太３０〜３０は、それぞれ多数の根太支持手段２０によって、高さ調節された後に固定支持されている。
なお、床下地材１３〜１３は通常のパーティクルボードによって構成されている。
【００１２】
この実施例において、床下地材１３であるパーティクルボードの寸法は、例えば６００ｍｍ×１８２０ｍｍであり、根太３０，３０の間隔は６００ｍｍとされている。また、各根太毎に多数の根太支持手段２０〜２０が約９００ｍｍ間隔毎に設置されている。しかしながら、これらの各数値自体に格別の意味があるわけではなく、適宜に設計できる。
【００１３】
図２〜図４には、この発明に特有の構成を有する根太支持手段２０と、同じくこの発明に特有の構成である根太３０が示されている。
図２は、１個の根太支持手段２０を構成する３個の三角柱体２０ａ，２０ｂ，２０ｃの側面と、これらによって支持される断面三角形の根太３０の側面高さとの関係を示している。
【００１４】
また、図３は図２の状態における根太支持手段２０と根太３０との関係を根太の長手方向から見た配置を示しており、この図において根太３０はこれを設置する前の位置である上方位置に記載している。
更に、図４には上記図２における根太支持手段２０の各構成要素２０ａ，２０ｂ，２０ｃの斜視図を示している。
【００１５】
特に図３及び図４から明らかなように、根太支持手段２０の各構成要素２０ａ，２０ｂ，２０ｃ（以下、これらの要素を駒と呼ぶ。）は、それぞれ断面が直角二等辺三角形を有する三角柱状であり、しかしながら各駒は一枚の鉄板を断面直角二等辺三角形状に折り曲げて、その両端部を溶接等によって接続して作成されるものである。
【００１６】
従って、上記各駒２０ａ，２０ｂ，２０ｃはそれぞれ互いに直角に交わる水平面部２１ａ及び垂直面部２１ｂと傾斜面部２１ｃとを有しており、図４に明らかなように、駒２０ａ，２０ｃと駒２０ｂとはその傾斜面部２１ｃを対向させた状態でスラブ上面に載置されるけれども、その具体的な設置方法等は後述する。
【００１７】
一方、根太３０の構造はこの実施例の場合断面直角二等辺三角形の中空柱体であり、通常一枚の鉄板を折り曲げ、その両端部を溶接等によって固定される。そして各根太３０は、それぞれ巾寸法が等しい２個の傾斜面部３０ａ，３０ａと上方の水平面部３０ｂとによって形成されている。
【００１８】
図３から明らかなように、この実施例における駒２０ａ〜２０ｃ及び根太３０の断面形状は、いずれも直角二等辺三角形に形成されているので、各駒のそれぞれの傾斜面部２１ｃ〜２１ｃと根太３０の一対の傾斜面部３０ａ，３０ａとはその傾斜角度が全く一致している。
【００１９】
図４は、上記のごとく図２に示す根太支持手段２０の各構成要素である駒２０ａ〜２０ｃの配置関係を説明する斜視図である。図において２個の駒２０ａ，２０ｃは予めコンクリートスラブ上面に互いに間隔を持って固定しておき、それらの間に駒２０ｂを図示のごとく配置し、これを上記駒２０ａ，２０ｃの間に差し込んで固定することができる。
【００２０】
図５は、図１に示すある１本の根太３０と、これを支持固定する複数の根太支持手段２０のうちの１個を構成する合計３個の駒２０ａ〜２０ｃとの関係を示しており、対向して配置された駒２０ａ，２０ｃと駒２０ｂとの位置関係を調節することで、支持すべき根太３０の高さを調整する手法を説明している。
【００２１】
図５の（Ａ）〜（Ｃ）には、それぞれ駒２０ａ，２０ｃと駒２０ｂとの各傾斜面部２１ｃ，２１ｃと、その間に密着支持された根太３０の各傾斜面部３０ａ，３０ａとの関係を、上記対向する駒２０ａ，２０ｃと駒２０ｂとの間隔を変更することによって、根太３０の水平面部３０ｂが上方に移動する状態を示している。
【００２２】
すなわち、図５の（Ａ）では、上記根太支持手段２０の対向する駒２０ａ，２０ｃと駒２０ｂとは、その夫々の傾斜面部２１ｃ，２１ｃが下端部で接する位置に配置されており、この状態でこれらの駒の傾斜面部２１ｃ，２１ｃ上に根太３０の２つの傾斜面部３０ａ，３０ａを載置し、上記各駒２０ａ〜２０ｃを夫々コンクリートスラブ上に固定すると、当該根太３０の下端の直角な角部が当該コンクリートスラブ面上に一致した状態で根太３０を支持固定することができる。
【００２３】
図５の（Ｂ）は、上記（Ａ）の状態よりも各駒２０ａ，２０ｃと駒２０ｂとの間隔を狭くする方向に、図示矢印の方向に移動し、このような状態で各駒２０ａ〜２０ｃをコンクリートスラブ上面に固定する状態を示している。
この場合、上記駒２０ａ，２０ｃと駒２０ｂとの対向する位置関係によって、支持される根太３０の高さ位置を変更できることが判る。
【００２４】
図５の（Ｃ）は、上記（Ｂ）の状態の対向する駒２０ａ，２０ｃと駒２０ｂとを更に接近させた状態を示している。
この場合駒２０ａ，２０ｃの底辺側の面２１ａと駒２０ｂの同じく底辺側の面２１ａとが一致した状態であり、この位置で各駒をコンクリートスラブ上面に固定すると、上記根太３０の上面部位置をコンクリートスラブ上面から最高の位置に支持固定することができる。
【００２５】
上記各駒のコンクリートスラブ上面への固定は、例えば駒を構成する鉄板に穿設された釘穴等を介して、コンクリートスラブ上面に釘を打設する等の公知の固定手段によって実施することができる。
最も、このような発明に係る駒自体の構造は、鉄板により折曲げ作成された三角中空体に限定されるものではないので、例えば他の材質による三角中空体のごとき場合には、他の公知の固定手段が採用されても良い。
【００２６】
図６は、上記第一の実施例に係る根太支持手段２０と根太３０とを用いて、床１０をコンクリートスラブ１２上面に固定した状態を示している。壁１１とコンクリートスラブ１２とに囲まれた部屋の床１０部分は、上記第一の実施例として説明した多数の根太支持手段２０〜２０を用いて、同じく多数の根太３０〜３０が高さ調節された後に支持固定される。
【００２７】
これら多数の根太３０〜３０の上面には、一般的にパーティクルボードで構成される床下地材１３が支持され、更にその上面に、例えばフローリング等の床仕上材１４が施されるけれども、これらの床材の構成自体は特に新規なものではなく、従来公知のものが使用される。
【００２８】
図６の（Ｂ）及び（Ｃ）は、これらの根太支持手段２０，２０がそれぞれ前記図５において説明した（Ｂ）、（Ｃ）の状態に対応しており、各図の根太支持手段２０を構成する駒２０ａ，２０ｃと駒２０ｂとの相対位置に応じて、根太３０の上下位置が変化するとともに、これにより支持される床下地材１３、床仕上材１４の支持位置が変化することを示している。
なお、図６における符号１５は、上記根太支持手段によって床材の位置を調節され、支持固定された後に設置される幅木を示している。
【００２９】
図７〜図９には、この発明の第二の実施例に係る根太支持手段用駒を用いた根太支持手段が記載されている。
上記第一の実施例と同様に、図７は、根太支持手段２５及び根太３５の側面図が示されており、図８は当該根太支持手段及び根太の根太長手方向から見た配置を示しており、更に図９は、これら根太３５と根太支持手段２５を構成する各駒２５ａ〜２５ｃとの関係を示すものである。
【００３０】
前記第一の実施例と同様に、多数の根太３５〜３５を支持する多数の根太支持手段２５〜２５は、それぞれ構成要素である駒２５ａ〜２５ｃにより構成されているけれども、これらの根太３５及び駒２５ａ〜２５ｃのそれぞれの横断面形状は、図８に示すように、いずれも正三角形状である。従って、根太３５の断面を構成する傾斜面部３５ａ，３５ａと床下地材を支持する水平面部３５ｂとは、同一辺長を有する倒立正三角形状を程している。
【００３１】
また、根太支持手段２５を構成する各駒２５ａ〜２５ｃの断面形状も、その底辺側の面２６ａと傾斜面部２６ｂが互いに６０°の角度で交わっており、これらの傾斜面部２６ｂ〜２６ｂと上記根太３５の傾斜面部３５ａ，３５ａとは互いにその傾斜面が一致するものである。
【００３２】
図９は、上記第一実施例の図５と対応する説明図であって、この第二実施例にあっては根太３５及び各駒２５ａ〜２５ｃの断面形状が正三角形である。従って、根太３５の各傾斜面部３５ａ，３５ａも各駒２５ａ〜２５ｃのそれぞれの傾斜面部２６ｃ，２６ｃも、共にコンクリートスラブの表面に対して６０°傾斜しており、図９の（Ａ）に示すようにこれらの面で一致している。
【００３３】
同図の（Ｂ）は、上記（Ａ）の状態から向い合う駒２５ａ，２５ｃと駒２５ｂとを矢印方向に近づけた状態であり、これらの傾斜面部２６ｃ，２６ｃが互いに近づくことにより根太３５は矢印方向に押し上げられ、これによって根太３５の水平面部３５ｂとコンクリートスラブの表面との距離を簡単に調節することができる。
【００３４】
同様に図９の（Ｃ）は、同図（Ｂ）より更に駒２５ａ，２５ｃと駒２５ｂとを近接させた状態であって、この状態が根太３５の最高上昇位置に相当するものである。
また、図９の（Ｂ）又は（Ｃ）のごとき操作によって根太３５の位置を調節するとともに、第一実施例の場合と同様に駒２５ａ〜２５ｃをコンクリートスラブ上に固定するものである。
【００３５】
図１０は、上述の第一の実施例に関連した発明であって、特に根太支持手段における他の実施例を示している。
この発明における根太支持手段２７は、これを構成する３個の駒２７ａ〜２７ｃを有しているけれども、その最も特徴とするところは、駒２７ｂと対向配置されるところの一対の駒２７ａ，２７ｃか連結部材２９により結合されていることである。
【００３６】
この実施例における各駒２７ａ〜２７ｃは、前述の第一の実施例における駒２０ａ〜２０ｃと同様に、その横断面形状が直角二等辺三角形とされた中空三角柱体に形成されているけれども、駒２７ａと駒２７ｃとは上述の通り連結部材２９により一体に形成されており、すなわちこの連結部材２９は、各駒２７ａ，２７ｃの垂直面部２８ｂ，２８ｂを連結する連結板部２９ｂと、同じく各駒２７ａ，２７ｃの傾斜面部２８ｃ，２８ｃを連結する連結板部２９ｃにより構成されている。
【００３７】
そして、実際には上記連結部材２９と各駒２７ａ，２７ｃとは一体に一枚の鉄板を折り曲げて構成されるものである。
また、上記連結部材２９における連結板部２９ｃの構造は、その傾斜方向の幅が、隣接する駒２７ａ，２７ｃの各傾斜面部２８ｃ，２８ｃの中間位置までとされている。このことは、当該図１０において、中間の駒２７ｂを駒２７ａ，２７ｃの間の隙間に挿入し、例えば図５（Ｃ）に示すように、支持すべき根太を最高の位置に支持する場合に、上記連結板部２９ｃの下端が駒２７ｂの傾斜面部２８ｃに当接することを意味している。
【００３８】
その他、上記実施例の説明はそれ自体でこの発明の技術的範囲を限定するものではなく、必要に応じて従来知られている技術手段と代替可能な部分は自由に変更可能であるが、例えば上記根太３０又は根太３５においても同様である。
この発明におけるこれらの根太の必須の特徴は、その横断面形状における各傾斜面部３０ａ，３０ａ又は３５ａ，３５ａの存在であり、このために、上記根太の横断面形状は例えば五角形のものもあり得ることである。すなわち、これらの根太３０又は根太３５は、その下方に一対の傾斜面部３０ａ，３０ａ又は３５ａ，３５ａと、上方の水平面部３０ｂ又は３５ｂを有することが重要である。
【図面の簡単な説明】
【００３９】
【図１】この発明に係る床支持装置を用いて施工された、床の一部の平面図である。
【図２】第１の実施例に係る根太と根太支持手段との側面図である。
【図３】図２の正面図である。
【図４】第１の実施例に係る根太支持手段の斜視図である。
【図５】第１の実施例に係る根太と根太支持手段との位置関係説明図である。
【図６】第１の実施例に係る床支持装置を用いた、床支持状態の説明図である。
【図７】第２の実施例に係る根太と根太支持手段との側面図である。
【図８】図７の正面図である。
【図９】第２の実施例に係る根太と根太支持手段との位置関係説明図である。
【図１０】根太支持手段における他の実施例の斜視図である。
【図１１】従来公知の発明に係る床支持装置の説明図である。
【符号の説明】
【００４０】
１０  床
１１  壁
１２  コンクリートスラブ
１３  床下地材
１４  床仕上材
２０  根太支持手段
２０ａ，２０ｂ，２０ｃ  駒
２１ａ  水平面部
２１ｂ  垂直面部
２１ｃ  傾斜面部
２５  根太支持手段
２５ａ，２５ｂ，２５ｃ  駒
２６ａ  底辺側面
２６ｂ  傾斜面部
２７  根太支持手段
２７ａ，２７ｂ，２７ｃ  駒
２８ｂ  垂直面部
２８ｃ  傾斜面部
２９  連結部材
２９ｂ，２９ｃ  連結板部
３０  根太
３０ａ  傾斜面部
３０ｂ  水平面部
３５  根太
３５ａ  傾斜面部
３５ｂ  水平面部
【図１】
0004598808.tif 000002
【図２】
0004598808.tif 000003
【図３】
0004598808.tif 000004
【図４】
0004598808.tif 000005
【図５】
0004598808.tif 000006
【図６】
0004598808.tif 000007
【図７】
0004598808.tif 000008
【図８】
0004598808.tif 000009
【図９】
0004598808.tif 000010
【図１０】
0004598808.tif 000011
【図１１】
0004598808.tif 000012